(57)【要約】【課題】横矢板の取り付け作業性を向上する安価な親杭横矢板工法および山留めユニット治具を提供する。【解決手段】親杭横矢板による山留め工法であって、予定する山留め壁面に沿って所定間隔をおいて地盤６中に埋設された一対の親杭としての形鋼８間の掘削壁面６ａに、連接配置された横矢板２を備える山留めユニット治具１０を打ち込み、この横矢板２のみを掘削壁面６ａに残して山留めユニット治具１０を引き上げることによって、横矢板２を掘削壁面６ａに取り付け、山留め壁を構築するようにする。【選択図】図１２
2012158926.tif 000002
【特許請求の範囲】
【請求項１】
親杭横矢板による山留め工法であって、
予定する山留め壁面に沿って所定間隔をおいて地中に埋設された一対の親杭としての形鋼間の掘削壁面に、連接配置された横矢板を備える山留めユニット治具を打ち込み、この横矢板のみを掘削壁面に残して前記山留めユニット治具を引き上げることによって、横矢板を掘削壁面に取り付け、山留め壁を構築することを特徴とする親杭横矢板工法。
【請求項２】
前記山留めユニット治具は、横矢板を上下方向に連接配置するための配置面を有する平板部と、前記配置面の上側に設けられ、横矢板の上方向への移動を拘束する横矢板押さえ部と、前記配置面の左右両側に設けられ、横矢板の左右方向への移動を拘束し、上下方向への移動を案内するガイド部と、前記平板部の上端に設けられ、前記平板部を把持するための把持部とからなることを特徴とする請求項１に記載の親杭横矢板工法。
【請求項３】
前記山留めユニット治具をバイブロハンマで打ち込むことを特徴とする請求項１または２に記載の親杭横矢板工法。
【請求項４】
バイブロハンマで把持した前記山留めユニット治具の下端を山留め壁の背面の裏込め土に当てて、この裏込め土を締め固めることを特徴とする請求項１〜３のいずれか一つに記載の親杭横矢板工法。
【請求項５】
前記形鋼はＨ形鋼であり、このＨ形鋼の一方のフランジを予定する山留め壁面に沿って配置しつつ、このＨ形鋼を地中に埋設したことを特徴とする請求項１〜４のいずれか一つに記載の親杭横矢板工法。
【請求項６】
親杭横矢板工法において親杭間に横矢板を取り付けるために用いる山留めユニット治具であって、
横矢板を上下方向に連接配置するための配置面を有する平板部と、
前記配置面の上側に設けられ、横矢板の上方向への移動を拘束する横矢板押さえ部と、
前記配置面の左右両側に設けられ、横矢板の左右方向への移動を拘束し、上下方向への移動を案内するガイド部と、
前記平板部の上端に設けられ、前記平板部を把持するための把持部とからなることを特徴とする山留めユニット治具。
【請求項７】
横矢板と前記ガイド部とを仮固定する釘部材を通すための挿通孔を前記ガイド部に設けたことを特徴とする請求項６に記載の山留めユニット治具。
【請求項８】
前記平板部の下端を、親杭横矢板工法により構築された山留め壁の背面の裏込め土を突き固め可能な形状に構成したことを特徴とする請求項６または７に記載の山留めユニット治具。
【発明の詳細な説明】
【技術分野】
【０００１】
本発明は、親杭横矢板工法およびこの親杭横矢板工法に用いる山留めユニット治具に関するものである。
【背景技術】
【０００２】
従来、地盤を掘削した際の掘削壁面を、略鉛直な状態に保持するための簡易な山留め工法として、親杭横矢板による山留め工法が広く知られている（例えば、特許文献１および２参照）。この工法は、例えば、Ｈ形鋼からなる親杭を、予定する山留め壁面に沿って所定の間隔をおいて複数地中に埋設し、掘削の進行に伴って隣接する親杭間に横矢板を上下方向に並べて連接配置することにより、掘削壁面を覆う簡易な山留め壁を構築するものである。
【先行技術文献】
【特許文献】
【０００３】
【特許文献１】特開２００４−２１８３２０号公報
【特許文献２】特開２００１−１３１９７７号公報
【発明の概要】
【発明が解決しようとする課題】
【０００４】
ところで、掘削壁面への横矢板の取り付け作業は、掘削壁面が崩落しない深さ（例えば、２ｍ程度）まで地盤を掘削した後、この掘削底に降りた作業員が手作業にて横矢板を一枚づつ親杭間に嵌め込むことにより行っていた。このため、多大な手間と時間を要していた。
【０００５】
本発明は、上記に鑑みてなされたものであって、横矢板の取り付け作業性を向上する安価な親杭横矢板工法および山留めユニット治具を提供することを目的とする。
【課題を解決するための手段】
【０００６】
上記した課題を解決し、目的を達成するために、本発明の請求項１に係る親杭横矢板工法は、親杭横矢板による山留め工法であって、予定する山留め壁面に沿って所定間隔をおいて地中に埋設された一対の親杭としての形鋼間の掘削壁面に、連接配置された横矢板を備える山留めユニット治具を打ち込み、この横矢板のみを掘削壁面に残して前記山留めユニット治具を引き上げることによって、横矢板を掘削壁面に取り付け、山留め壁を構築することを特徴とする。
【０００７】
また、本発明の請求項２に係る親杭横矢板工法は、上述した請求項１において、前記山留めユニット治具は、横矢板を上下方向に連接配置するための配置面を有する平板部と、前記配置面の上側に設けられ、横矢板の上方向への移動を拘束する横矢板押さえ部と、前記配置面の左右両側に設けられ、横矢板の左右方向への移動を拘束し、上下方向への移動を案内するガイド部と、前記平板部の上端に設けられ、前記平板部を把持するための把持部とからなることを特徴とする。
【０００８】
また、本発明の請求項３に係る親杭横矢板工法は、上述した請求項１または２において、前記山留めユニット治具をバイブロハンマで打ち込むことを特徴とする。
【０００９】
また、本発明の請求項４に係る親杭横矢板工法は、上述した請求項１〜３のいずれか一つにおいて、バイブロハンマで把持した前記山留めユニット治具の下端を山留め壁の背面の裏込め土に当てて、この裏込め土を締め固めることを特徴とする。
【００１０】
また、本発明の請求項５に係る親杭横矢板工法は、上述した請求項１〜４のいずれか一つにおいて、前記形鋼はＨ形鋼であり、このＨ形鋼の一方のフランジを予定する山留め壁面に沿って配置しつつ、このＨ形鋼を地中に埋設したことを特徴とする。
【００１１】
また、本発明の請求項６に係る山留めユニット治具は、親杭横矢板工法において親杭間に横矢板を取り付けるために用いる山留めユニット治具であって、横矢板を上下方向に連接配置するための配置面を有する平板部と、前記配置面の上側に設けられ、横矢板の上方向への移動を拘束する横矢板押さえ部と、前記配置面の左右両側に設けられ、横矢板の左右方向への移動を拘束し、上下方向への移動を案内するガイド部と、前記平板部の上端に設けられ、前記平板部を把持するための把持部とからなることを特徴とする。
【００１２】
また、本発明の請求項７に係る山留めユニット治具は、上述した請求項６において、横矢板と前記ガイド部とを仮固定する釘部材を通すための挿通孔を前記ガイド部に設けたことを特徴とする。
【００１３】
また、本発明の請求項８に係る山留めユニット治具は、上述した請求項６または７において、前記平板部の下端を、親杭横矢板工法により構築された山留め壁の背面の裏込め土を突き固め可能な形状に構成したことを特徴とする。
【発明の効果】
【００１４】
本発明の親杭横矢板工法によれば、親杭横矢板による山留め工法であって、予定する山留め壁面に沿って所定間隔をおいて地中に埋設された一対の親杭としての形鋼間の掘削壁面に、連接配置された横矢板を備える山留めユニット治具を打ち込み、この横矢板のみを掘削壁面に残して前記山留めユニット治具を引き上げることによって、横矢板を掘削壁面に取り付け、山留め壁を構築するので、掘削底で横矢板を一枚づつ取り付けずにすみ、横矢板の取り付け作業性を向上することができるという効果を奏する。
【００１５】
また、本発明の山留めユニット治具によれば、親杭横矢板工法において親杭間に横矢板を取り付けるために用いる山留めユニット治具であって、横矢板を上下方向に連接配置するための配置面を有する平板部と、前記配置面の上側に設けられ、横矢板の上方向への移動を拘束する横矢板押さえ部と、前記配置面の左右両側に設けられ、横矢板の左右方向への移動を拘束し、上下方向への移動を案内するガイド部と、前記平板部の上端に設けられ、前記平板部を把持するための把持部とからなるので、この山留めユニット治具を用いることにより掘削底で横矢板を一枚づつ取り付けずにすみ、横矢板の取り付け作業性を向上することができるという効果を奏する。
【図面の簡単な説明】
【００１６】
【図１】図１は、本発明に係る山留めユニット治具の実施例を示す斜視図である。
【図２】図２は、本発明に係る山留めユニット治具の正面図である。
【図３】図３は、本発明に係る山留めユニット治具の背面図である。
【図４】図４は、本発明に係る山留めユニット治具の右側面図である。
【図５】図５は、本発明に係る山留めユニット治具の左側面図である。
【図６】図６は、本発明に係る山留めユニット治具の上面図である。
【図７】図７は、本発明に係る山留めユニット治具の底面図である。
【図８】図８は、山留めユニット治具に横矢板を連接配置した斜視図である。
【図９】図９は、山留めユニット治具の他の実施例を示す斜視図である。
【図１０】図１０は、山留めユニット治具の他の実施例を示す斜視図である。
【図１１】図１１は、山留めユニット治具に、運搬および落下防止用の係合孔を設けた場合を示す図である。
【図１２】図１２は、本発明に係る親杭横矢板工法の工程１を示す図である。
【図１３】図１３は、本発明に係る親杭横矢板工法の工程２を示す図である。
【図１４】図１４は、本発明に係る親杭横矢板工法の工程３を示す図である。
【図１５】図１５は、本発明に係る親杭横矢板工法の工程４を示す図である。
【図１６】図１６は、本発明に係る親杭横矢板工法の工程５を示す図である。
【図１７】図１７は、本発明により構築された山留め壁の斜視図である。
【図１８】図１８は、本発明により構築された山留め壁の上面図である。
【発明を実施するための形態】
【００１７】
以下に、本発明に係る親杭横矢板工法および山留めユニット治具の実施の形態を図面に基づいて詳細に説明する。なお、この実施例によりこの発明が限定されるものではない。
【００１８】
［山留めユニット治具］
まず、本発明に係る山留めユニット治具について図１〜図１１を参照しながら説明する。本発明に係る山留めユニット治具１０は、親杭横矢板工法において親杭間に横矢板を取り付けるために用いるものであり、図１の斜視図、図２〜図７の六面図に示すように、平板部１２と、横矢板押さえ部１４と、ガイド部１６と、把持部１８とからなる。
【００１９】
平板部１２は、図１および図８に示すように、横矢板２を上下方向に連接配置するための配置面１２ａを有する平板であり、厚さ２２ｍｍの鉄板で構成してある。平板部１２の下端２０は、山留め壁の背面の裏込め土を突き固め可能な形状に形成してある。また、図８に示すように、配置面１２ａに載せられる横矢板２どうしは互いに桟木４で上下方向に緊結してある。
【００２０】
横矢板押さえ部１４は、横矢板２の上方向への移動を拘束するためのものであり、配置面１２ａの上側に溶接等によって固定された１００ｍｍ×１００ｍｍのＨ形鋼１４ａと、このＨ形鋼１４ａの下フランジ下面側に溶接され、ウェブ面に沿って下方に張り出した鋼板１４ｂとで構成される。鋼板１４ｂは、図８に示すように、横矢板２が配置面１２ａから脱落しないように横矢板２の上端を係止するためのものである。
【００２１】
ガイド部１６は、横矢板２の左右方向への移動を拘束し、上下方向への移動を案内するためのものであり、配置面１２ａの左右両側に溶接等によって固定された３０ｍｍ×３０ｍｍの山形鋼で構成してある。ガイド部１６の下端部分は斜めにカットしてある。
【００２２】
ガイド部１６の下側には、図１に示すように、横矢板とガイド部１６とを仮固定する釘（釘部材）を通すための挿通孔２２が設けてある。これは、治具１０をバイブロハンマ等で吊り込んだ際に、横矢板が配置面１２ａから脱落しないようにしたものである。なお、掘削壁面への打ち込み時にはその振動で釘（釘部材）が折れるようにしてあり、横矢板とガイド部１６との仮固定が解かれて、横矢板を掘削壁面に残したまま、治具１０のみを掘削壁面から引き抜くことができるようになっている。
【００２３】
把持部１８は、治具１０をバイブロハンマ等で把持するためのものであり、平板部１２の上端に設けてある。把持部１８は、５０ｍｍ×１００ｍｍの溝形鋼で構成され、ウェブ外面の下側を、平板部１２の裏面に溶接等によって固定してある。なお、図９に示すように、把持部１８の上端のウェブ外面に、別の溝形鋼１８ａを溶接した構成としてもよい。こうすることで、バイブロハンマ等による把持性能を向上することもできる。
【００２４】
なお、平板部１２、横矢板押さえ部１４、ガイド部１６、把持部１８の規格・材質・寸法は、上記の規格・材質・寸法に限るものではなく、横矢板やこれを取り付ける掘削壁面の深さなどの施工条件に応じて適宜選択可能である。例えば、横矢板押さえ部１４を溝形鋼等で構成してもよいし、平板部１２に対するその取り付け角度を変えてもよい。例えば、図１０に示すように、横矢板押さえ部１４をＨ形鋼１４ｃ単体で構成し、そのフランジ外面を配置面１２ａに溶接等で固定した態様としてもよい。
【００２５】
また、山留めユニット治具１０の運搬および施工中の落下防止等のフェールセーフとするため、治具１０をバイブロハンマ側に固定する機構を設けてもよい。この場合、例えば、図１１（１）に示すように、横矢板押さえ部１４に、係合孔２６を有する突出片２４を設け、図１１（２）に示すように、この係合孔２６にバイブロハンマ側に固定されたワイヤ２８を接続した構造としてもよい。
【００２６】
［親杭横矢板工法］
次に、本発明に係る親杭横矢板工法について図１２〜図１８を参照しながら説明する。
図１２（工程１）および図１３（工程２）に示すように、本発明に係る親杭横矢板工法は、親杭横矢板による山留め工法であって、予定する山留め壁面に沿って所定間隔をおいて地盤６中に埋設された一対の親杭としてのＨ形鋼８間のフランジ８ａの裏面側の掘削壁面６ａに、連接配置された横矢板２を備える山留めユニット治具１０をバイブロハンマ（不図示）で打ち込んでいくものである。図１４（工程３）は、山留めユニット治具１０を掘削壁面６ａに完全に打ち込んだ状態を示している。
【００２７】
次に、図１５（工程４）に示すように、横矢板２のみを掘削壁面に残して山留めユニット治具１０を引き上げる。こうすることで、横矢板２が掘削壁面に取り付けられる。
【００２８】
続いて、図１８に示すように、横矢板２の背面に裏込め土３０を充填する。図１６（工程５）に示すように、山留めユニット治具１０をバイブロハンマ（不図示）で把持し、この山留めユニット治具１０の下端をこの裏込め土３０に突き当て、あるいは差し込んだ状態とし、バイブロハンマによる振動を伝達して裏込め土３０を締め固める。このように、バイブロハンマによる振動を与えることで裏込め施工を簡便かつ確実に実施することができる。これにより、図１７に示すような山留め壁が短時間で築造され得る。
【００２９】
このように、本発明によれば、掘削底で横矢板を一枚づつ取り付けずにすみ、従来の親杭横矢板工法よりも短時間で横矢板の取り付け作業を行える。したがって、横矢板の取り付け作業性を向上することができ、施工期間の短縮と労務費用の節減とを図ることができる。また、横矢板を取り付けるために掘削底に人が立ち入る必要がないので、安全性の向上に寄与することもできる。
【００３０】
以上説明したように、本発明の親杭横矢板工法によれば、親杭横矢板による山留め工法であって、予定する山留め壁面に沿って所定間隔をおいて地中に埋設された一対の親杭としての形鋼間の掘削壁面に、連接配置された横矢板を備える山留めユニット治具を打ち込み、この横矢板のみを掘削壁面に残して前記山留めユニット治具を引き上げることによって、横矢板を掘削壁面に取り付け、山留め壁を構築するので、掘削底で横矢板を一枚づつ取り付けずにすみ、横矢板の取り付け作業性を向上することができる。
【００３１】
また、本発明の山留めユニット治具によれば、親杭横矢板工法において親杭間に横矢板を取り付けるために用いる山留めユニット治具であって、横矢板を上下方向に連接配置するための配置面を有する平板部と、前記配置面の上側に設けられ、横矢板の上方向への移動を拘束する横矢板押さえ部と、前記配置面の左右両側に設けられ、横矢板の左右方向への移動を拘束し、上下方向への移動を案内するガイド部と、前記平板部の上端に設けられ、前記平板部を把持するための把持部とからなるので、この山留めユニット治具を用いることにより掘削底で横矢板を一枚づつ取り付けずにすみ、横矢板の取り付け作業性を向上することができる。
【産業上の利用可能性】
【００３２】
以上のように、本発明に係る親杭横矢板工法および山留めユニット治具は、横矢板の取り付け作業性を向上するのに有用であり、特に、親杭間に横矢板を短時間で取り付けるのに適している。
【符号の説明】
【００３３】
２  横矢板
４  桟木
６  地盤
６ａ  掘削壁面
８  Ｈ形鋼（親杭）
８ａ  フランジ
１０  山留めユニット治具
１２  平板部
１４  横矢板押さえ部
１６  ガイド部
１８  把持部
２０  平板部の下端
２２  挿通孔
２４  突出片
２６  係合孔
２８  ワイヤ
３０  裏込め土
【図１】
2012158926.tif 000003
【図２】
2012158926.tif 000004
【図３】
2012158926.tif 000005
【図４】
2012158926.tif 000006
【図５】
2012158926.tif 000007
【図６】
2012158926.tif 000008
【図７】
2012158926.tif 000009
【図８】
2012158926.tif 000010
【図９】
2012158926.tif 000011
【図１０】
2012158926.tif 000012
【図１１】
2012158926.tif 000013
【図１２】
2012158926.tif 000014
【図１３】
2012158926.tif 000015
【図１４】
2012158926.tif 000016
【図１５】
2012158926.tif 000017
【図１６】
2012158926.tif 000018
【図１７】
2012158926.tif 000019
【図１８】
2012158926.tif 000020